(57)【要約】      （修正有）【課題】折り畳んで収納袋に収納した状態で、「カードサイズ」までコンパクトにすることができ、携帯に全く気にならないサイズを備え、突然の雨にも対応することができる携帯用レインウェアセットを提供する。【解決手段】折り畳んで収納した状態でカードサイズまで縮小することができる携帯用レインウェアセット１０であって、雨に濡れないようにするために着用するレインウェア本体２０と、レインウェア本体を収納する収納袋３０からなり、レインウェア本体を構成する素材は、厚み０．０４ｍｍ〜０．０５ｍｍポリエチレン製であることを特徴とする。【選択図】図１
0003223106.tif 000002
【実用新案登録請求の範囲】
【請求項１】
折り畳んで収納した状態でカードサイズまで縮小することができる携帯用レインウェアセットであって、
雨に濡れないようにするために着用するレインウェア本体と、
前記レインウェア本体を収納する収納袋からなり、
前記レインウェア本体を構成する素材は、厚み０．０４ｍｍ〜０．０５ｍｍポリエチレン製であることを特徴とする携帯用レインウェアセット。
【考案の詳細な説明】
【技術分野】
【０００１】  本考案は、レインウェア本体と収納袋から構成される携帯用レインウェアセットに関する。さらに言えば、折り畳んで収納袋に収納した状態でカードサイズまで縮小することができる携帯用レインウェアセットに関する。
【背景技術】
【０００２】  予期しない突然の降雨や降雪に備えて（安心のために）携帯することを目的として、カバン等に入れて持ち歩けるコンパクトな携帯用レインウェアが出回っている。このような目的を持って製造された携帯用レインウェアは、持ち歩きやすいように、コンパクトに収納できることに特徴があるのであるが、所詮、普段持ち歩くような小さなカバン等に収まる程度のサイズである。さらに、携帯し易さを追求していくと、携帯用レインウェアを持ち歩くために必要な小さなカバン等さえも不要なサイズ、具体的には、財布の中やズボンのポケット等に入ってしまうような小さなサイズに収納することができる携帯用レインウェアが希求されている。【０００３】  特許文献１には、「日常の外出や観光のほか野外コンサートや屋外スポーツ観戦時に遭遇しうる不意の雨天対策として常時携行しても邪魔にならず、使用時にはレインコートの取り出し操作を行うと同時に展開状態にできて直ちに使用することができる物品を提供する（特許文献１：課題）。」ことを課題として、「折り畳まれた状態のレインコートが、引裂誘導部を介して連結した分割体からなる収納外袋内に収納されてなる携帯型レインコートであって、該収納されたレインコートは、頭部を覆うフード部と、身体部を覆うコート本体部が薄膜シートで一体的に成形され、前記フード部の開口縁に設けた紐挿通部に開口閉止紐が挿通され、該開口閉止紐の一端を、一の分割体と該分割体の端部内側で接合し、該開口閉止紐の他端を、他の分割体と該分割体の端部内側で接合した携帯型レインコート（特許文献１：考案の名称）（特許文献１：解決手段より抜粋）。」が開示されている。
【先行技術文献】
【特許文献】
【０００４】
【特許文献１】実用新案登録第３２０４９０２号公報
【考案の概要】
【考案が解決しようとする課題】
【０００５】  特許文献１に係る考案は、「本実施例において携帯型レインコートの開封前の大きさは、長辺２０ｃｍ、短辺５ｃｍ、厚み５ｃｍ程度としたが（特許文献１：００２０段落）・・・・との記載より、ウェストバック、ポーチ、ポシェット、小さなカバン等の中には入るかも知れないが、財布の中やズボンのポケット等の中に入るサイズでは無いと言える。即ち、携帯し易さをとことん追求した際、携帯用レインウェアを持ち歩くために必要な小さなカバン等さえも不要なサイズとは言えない。このような現状に鑑み発明者らは、携帯していることすら忘れてしまう程度のサイズ（具体的にはカードサイズ）の携帯用レインウェアがあれば良いと考えて鋭意開発を行ったのである。【０００６】  本考案の目的は、折り畳んで収納袋に収納した状態で、携帯には全く気にならないサイズの携帯用レインウェアセットを提供することにある。
【課題を解決するための手段】
【０００７】  上記課題を解決するために、本願請求項１に記載した考案は、折り畳んで収納した状態でカードサイズまで縮小することができる携帯型レインウェアセットであって、レインウェア本体と、前記レインウェア本体を収納する収納袋からなり、前記レインウェア本体を構成する素材は、厚み０．０４ｍｍ〜０．０５ｍｍポリエチレン製であることを特徴とする携帯型レインウェアセットであることを特徴とするものである。
【考案の効果】
【０００８】  本考案に係る携帯型レインウェアセットは、レインウェア本体を折り畳んで収納袋に収納した状態で、カードサイズまで縮小することができる携帯用レインウェアセットである。レインウェア本体と、レインウェア本体を収納する収納袋から構成されている。レインウェア本体を構成する素材は、厚み０．０４ｍｍ〜０．０５ｍｍポリエチレン製であるので、レインウェア本体を折り畳んで収納袋に収納した状態（収納する際に真空引きを行う）で、カードサイズまでコンパクトにすることができる。【０００９】  従って、携帯する際も全く気にならない程度のサイズを備えた、突然の降雨や降雪にも対応することができる携帯用レインウェアセットを提供することができるようになった。携帯用レインウェアセットは、「いつでもどこでも」を製品開発コンセプトとし、携帯していることが全く気にならないコンパクトサイズを追求した結果、開発された携帯型レインウェアセットである。即ち、バック、ランドセル等に収納することができる程度のサイズでは無く、ズボンのポケット、財布等にさえも収納することができるサイズである。
【図面の簡単な説明】
【００１０】
【図１】携帯用レインウェアセットのレインウェア本体を折り畳む手順、及びレインウェア本体を収納袋に収納する手順を説明するための図である。
【図２】携帯用レインウェアセットのサイズを説明するための図である。
【考案を実施するための形態】
【００１１】＜携帯用レインウェアセットの収納方法＞
以下、本考案に係る携帯型レインウェアセット１０について、図１〜図２を参照しつつ詳細に説明する。図１は、携帯用レインウェアセット１０のレインウェア本体２０を折り畳む手順、及びレインウェア本体２０を収納袋３０に収納する手順を説明するための図である。
【００１２】  携帯用レインウェアセット１０の折り畳み手順は、図１（ａ）に記載したように、レインウェア本体２０を完全に広げた状態から、中心線で折り返すようにして二つ折りにし（図１（ｂ）参照）、レインウェア本体２０を着用する際、両腕を通す部位を下側に折り畳み（図１（ｃ）参照）、続いて、頭部に被る部位を下側に折り畳む（図１（ｄ）参照）。そして、図１（ｅ）に記載したように、縦方向を左側から（或いは右側から）等間隔になるように折り畳む。尚、中心線で折り返すようにして二つ折りにする工程を複数回繰り返しても良い。さらに、図１（ｆ）に記載したように、横方向を上側から（或いは下側から）等間隔になるように折り畳む。尚、中心線で折り返すようにして二つ折りにする工程を複数回程度繰り返しても良い。
【００１３】  以上に記載したような手順で、レインウェア本体２０をコンパクトに折り畳んで、最後に、収納袋３０に入れる（図１（ｇ）参照）。この時、真空引き作業を行うことで、収納袋３０とレインウェア本体２０の隙間に介在する空気とレインウェア本体２０に含まれる空気を完全に抜くことが、携帯用レインウェアセット１０をズボンのポケット、財布等にさえも収納することができるサイズにするために重要である。携帯用レインウェアセット１０の収納方法は、このように極めてシンプルな作業方法である。
【００１４】  図２は、本考案に係る携帯用レインウェアセット１０のサイズを説明するための図である。携帯用レインウェアセット１０のサイズは、図２に記載したように、財布に入ってしまう程度のコンパクトサイズである。以下に、発明者らは、どのようにしてこのようなサイズの携帯用レインウェアセット１０を実現することができたかについて記載する。
【００１５】  携帯用レインウェアセット１０のレインウェア本体２０の生地の厚みは、０．０４ｍｍ〜０．０５ｍｍである。コンパクトサイズの携帯用レインウェアセット１０を実現することができた要因として、この「生地の薄さ」があると言える。生地が薄ければ薄い程、折り畳んだ際、コンパクトなサイズを実現することができるとも考えられる。しかしながら、生地が薄すぎる程、破れやすくなってしまうので、レインウェア本体２０としての強度を担保することができないため、結果として、製品として使用できないものになってしまう。そこで、携帯用レインウェアセット１０を１回限りの使用品（要するに使い捨て）とすることで、必要な強度を最小限ギリギリに設定することで、製品としての必要な強度を確保しつつ、極薄の生地を採用することができるようにしたのである。
【００１６】  レインウェア本体２０を収納袋３０に収納する際の収納作業は、全て手作業でレインウェア本体２０を折り畳んで行う。即ち、図１（ａ）〜図１（ｇ）に記載したような折り畳み手順で、レインウェア本体２０を折り畳み、収納袋３０に収納する際、最終的に真空引きを行い、特に、厚さ方向のサイズを縮小するので、携帯用レインウェアセット１０のサイズは、カードサイズと同等の厚さである、約０．７ｍｍ程度まで縮小することができる。その結果、図２に記載したように、財布に収まるサイズにすることができるのである。
【００１７】  ＜携帯用レインウェアセットの効果＞
本考案によれば、携帯には全く気にならないサイズの携帯用レインウェアセット１０を提供することができるようになった。携帯用レインウェアセット１０は、カバン等に収納することができる程度のサイズでは無く、ズボンのポケット、財布等にさえも収納することができるサイズであり、実際に携帯用レインウェアセット１０を携帯していることが全く気にならないサイズの携帯用レインウェアセット１０である。
【００１８】  そして、携帯用レインウェアセット１０は、いわゆるフリーサイズで大人から子供まで使用することが可能であるし、使い捨て専用であることも大きな特徴であると言える。さらに、レインウェア本体２０を形成するポリエチレン素材は、透明色にすることができるため、レインウェア本体２０着用時において、（着用人が）着用している衣服と同化するので見栄えも良い。
【００１９】＜携帯用レインウェアセットの変更例＞
本考案に係る携帯用レインウェアセットは、上記実施形態の態様に何ら限定されるものではなく、レインウェア本体、収納袋等の構成を、本考案の趣旨を逸脱しない範囲で、必要に応じて適宜変更することができる。例えば、レインウェア本体の素材においては、本考案の目的を達成することができる素材であれば、ポリエチレン以外の素材を使用することができる。さらに、収納袋に折り畳んだレインウェア本体を収納する際、収納袋の表面とほぼ同じサイズの矩形台紙をレインウェア本体と収納袋の間に挟み入れることで、携帯用レインウェアセット全体としての強度を出しても良い。
【産業上の利用可能性】
【００２０】  本考案に係る携帯用レインウェアセットは、上記の如く優れた効果を奏するものであるので、携帯用レインウェアセットに関する分野で好適に用いることができる。
【符号の説明】
【００２１】  １０・・携帯用レインウェアセット
２０・・レインウェア本体
３０・・収納袋
【図１】
0003223106.tif 000003
【図２】
0003223106.tif 000004